(57)【要約】【課題】携帯情報端末において、質の高い放送信号の供給を可能にしつつ、ユーザの意図しないタイミングで映像や音声が途切れる事態を回避する。【解決手段】クレードル３０に装着されたときに、動作モードが「録画中」であれば、ＴＶ端末１０では、放送信号の出力元のアンテナが、付属アンテナ１から外部アンテナ２（クレードル３０に接続された屋外アンテナまたはＣＡＴＶケーブル）に切り替えられることはない。ＴＶ端末１０では、付属アンテナ１からの放送信号の出力が継続される。【選択図】図１
2014179744.tif 000002
【特許請求の範囲】
【請求項１】
放送信号をチューニングするためのチューナと、
放送信号を受信するための付属アンテナと、
クレードルに設けられた外部コネクタ部と電気的に連結されることにより外部アンテナからの放送信号を前記チューナに送るための付属コネクタ部と、
前記付属アンテナが受信する放送信号と前記外部アンテナが受信する放送信号とを前記チューナに出力する出力制御部と、
前記チューナに出力された放送信号を記録するための記録部とを備え、
前記出力制御部は、前記付属コネクタ部が前記外部コネクタ部に連結されている場合、前記付属アンテナから前記チューナに出力された放送信号が前記記録部に記録されているときには、前記付属アンテナから前記チューナへの放送信号の出力を継続する、携帯情報端末。
【請求項２】
前記チューナに出力された放送信号を再生するための再生部と、
前記チューナへの放送信号の出力元についての設定内容を記憶するための記憶部とをさらに備え、
前記出力制御部は、前記付属コネクタ部が前記外部コネクタ部に連結されている場合、前記再生部が前記付属アンテナから前記チューナに出力された放送信号を再生しているときには、前記記憶部に記憶された設定内容に基づいて、前記付属アンテナから前記チューナへの放送信号の出力を継続するか、前記チューナへの放送信号の出力元を前記外部アンテナへ変更するかを決定する、請求項１に記載の携帯情報端末。
【請求項３】
前記記憶部は、前記記録部による放送信号の記録についての予約情報をさらに記憶し、
前記設定内容は、前記予約情報に基づく前記記録部による放送信号の記録についての、前記チューナへの放送信号の出力元についての設定内容を含み、
前記出力制御部は、前記付属コネクタ部が前記外部コネクタ部に連結されている場合、前記記録部が前記付属アンテナからの前記チューナに出力された放送信号を記録しておらず、前記再生部が当該放送信号を再生しておらず、かつ、前記記憶部が前記予約情報を記憶しているときには、前記記憶部に記憶された設定内容に基づいて、前記付属アンテナから前記チューナへの放送信号の出力を継続するか、前記チューナへの放送信号の出力元を前記外部アンテナへ変更するかを決定する、請求項２に記載の携帯情報端末。
【請求項４】
前記チューナに出力された放送信号を再生するための再生部と、
前記チューナへの放送信号の出力元についての指示を入力するための入力部とをさらに備え、
前記出力制御部は、前記付属コネクタ部が前記外部コネクタ部に連結されている場合、前記再生部が前記付属アンテナから前記チューナに出力された放送信号を再生しているときには、前記入力部に入力された指示に基づいて、前記付属アンテナから前記チューナへの放送信号の出力を継続するか、前記チューナへの放送信号の出力元を前記外部アンテナへ変更するかを決定する、請求項１〜請求項３のいずれか１項に記載の携帯情報端末。
【請求項５】
放送信号をチューニングするためのチューナと、放送信号を受信するための付属アンテナと、クレードルに設けられた外部コネクタ部と電気的に連結されることにより外部アンテナからの放送信号を前記チューナに送るための付属コネクタ部と、前記チューナに出力された放送信号を記録するための記録部とを備えた携帯情報端末を制御するためのプログラムであって、
前記付属アンテナが受信する放送信号と前記外部アンテナが受信する放送信号との前記チューナへの出力を制御するコンピュータによって実行され、
前記プログラムは、前記コンピュータに、前記付属コネクタ部が前記外部コネクタ部に連結されている場合、前記付属アンテナから前記チューナに出力された放送信号が前記記録部に記録されているときには、前記付属アンテナから前記チューナへの放送信号の出力を継続させる、携帯情報端末の制御プログラム。
【発明の詳細な説明】
【技術分野】
【０００１】
本開示は、クレードルに装着され得る携帯情報端末に関する。
【背景技術】
【０００２】
従来、充電等の目的でクレードルに装着される携帯情報端末が提案されている。このような携帯情報端末の中でも、放送信号を受信する付属アンテナを備え、さらに、クレードルを介して外部アンテナからも放送信号を受信し得るものがある。
【０００３】
一般的には、付属アンテナは、外部アンテナよりも小型で携帯性に優れる。一方、外部アンテナは、携帯する必要がなく、付属アンテナよりも大型で設計することができるため、付属アンテナよりも高品質の映像信号や音声信号を供給し得る。従来の携帯情報端末には、これらの２つのアンテナのそれぞれの利点を生かし、状況に応じて、放送信号（映像信号および音声信号）の出力元を２つのアンテナから選択するものがある。
【０００４】
このような携帯情報端末の一例として、特開２００５−７３００５号公報（特許文献１）には、その請求項１等において、携帯型電子機器が開示されている。当該携帯型電子機器は、外部コネクタ部に連結される付属コネクタ部を備え、当該付属コネクタ部をクレードルに設けられた外部コネクタ部に連結されることにより、外部アンテナから取得する。そして、当該携帯型電子機器は、付属アンテナから取得する放送信号と、クレードルに設けられた外部コネクタ部を介して外部アンテナから取得する放送信号とを選択的に取り出してチューナ部に供給するアンテナ出力切替部を備える。当該アンテナ出力切替部は、付属コネクタ部が外部コネクタ部に連結されているときには外部アンテナから取得された放送信号をチューナ部に供給し、付属コネクタ部が外部コネクタ部に連結されていないときには付属アンテナから取得された放送信号をチューナ部に供給する。
【先行技術文献】
【特許文献】
【０００５】
【特許文献１】特開２００５−７３００５号公報
【発明の概要】
【発明が解決しようとする課題】
【０００６】
特許文献１に記載されている携帯型電子機器のように、外部アンテナから放送信号を出力され得る状態にあるときには、携帯情報端末は、放送信号の出力元を付属アンテナから外部アンテナへと変更することが好ましい。上記されたように、外部アンテナの方が、付属アンテナよりも高品質な放送信号を出力できる場合が多いからである。
【０００７】
しかしながら、放送信号の出力元のアンテナが変更されるとき、携帯情報端末では、一時的に放送信号の供給が途切れる。このため、特許文献１に記載されている携帯型電子機器のように、携帯情報端末がクレードルに装着されているか否かによって放送信号の出力元のアンテナが切り替えられた場合、ユーザに提供される映像や音声がユーザの意図しないタイミングで途切れるという不都合が生じ得る。特に、ユーザが、番組を録画している最中に、携帯情報端末をクレードルに装着したり、携帯情報端末をクレードルから取り外した場合には、録画がサーチの期間中途切れるという事態が生じる。
【０００８】
本開示は、かかる実情に鑑み考え出されたものであり、その目的は、携帯情報端末において、質の高い放送信号の供給を可能にしつつ、ユーザの意図しないタイミングで映像や音声が途切れる事態を回避することである。
【課題を解決するための手段】
【０００９】
ある局面に従うと、放送信号をチューニングするためのチューナと、放送信号を受信するための付属アンテナと、クレードルに設けられた外部コネクタ部と電気的に連結されることにより外部アンテナからの放送信号をチューナに送るための付属コネクタ部と、付属アンテナが受信する放送信号と外部アンテナが受信する放送信号とをチューナに出力する出力制御部と、チューナに出力された放送信号を記録するための記録部とを備える携帯情報端末が提供される。出力制御部は、付属コネクタ部が外部コネクタ部に連結されている場合、付属アンテナからチューナに出力された放送信号が記録部に記録されているときには、付属アンテナからチューナへの放送信号の出力を継続する。
【００１０】
好ましくは、携帯情報端末は、チューナに出力された放送信号を再生するための再生部と、チューナへの放送信号の出力元についての設定内容を記憶するための記憶部とをさらに備える。出力制御部は、付属コネクタ部が外部コネクタ部に連結されている場合、再生部が付属アンテナからチューナに出力された放送信号を再生しているときには、記憶部に記憶された設定内容に基づいて、付属アンテナからチューナへの放送信号の出力を継続するか、チューナへの放送信号の出力元を外部アンテナへ変更するかを決定する。
【００１１】
好ましくは、記憶部は、記録部による放送信号の記録についての予約情報をさらに記憶する。設定内容は、予約情報に基づく記録部による放送信号の記録についての、チューナへの放送信号の出力元についての設定内容を含む。出力制御部は、付属コネクタ部が外部コネクタ部に連結されている場合、記録部が付属アンテナからのチューナに出力された放送信号を記録しておらず、再生部が当該放送信号を再生しておらず、かつ、記憶部が予約情報を記憶しているときには、記憶部に記憶された設定内容に基づいて、付属アンテナからチューナへの放送信号の出力を継続するか、チューナへの放送信号の出力元を外部アンテナへ変更するかを決定する。
【００１２】
好ましくは、携帯情報端末は、チューナに出力された放送信号を再生するための再生部と、チューナへの放送信号の出力元についての指示を入力するための入力部とをさらに備える。出力制御部は、付属コネクタ部が外部コネクタ部に連結されている場合、再生部が付属アンテナからチューナに出力された放送信号を再生しているときには、入力部に入力された指示に基づいて、付属アンテナからチューナへの放送信号の出力を継続するか、チューナへの放送信号の出力元を外部アンテナへ変更するかを決定する。
【００１３】
他の局面に従うと、放送信号をチューニングするためのチューナと、放送信号を受信するための付属アンテナと、クレードルに設けられた外部コネクタ部と電気的に連結されることにより外部アンテナからの放送信号をチューナに送るための付属コネクタ部と、チューナに出力された放送信号を記録するための記録部とを備えた携帯情報端末を制御するためのプログラムが提供される。プログラムは、付属アンテナが受信する放送信号と外部アンテナが受信する放送信号とのチューナへの出力を制御するコンピュータによって実行される。プログラムは、コンピュータに、付属コネクタ部が外部コネクタ部に連結されている場合、付属アンテナからチューナに出力された放送信号が記録部に記録されているときには、付属アンテナからチューナへの放送信号の出力を継続させる。
【発明の効果】
【００１４】
本開示によれば、携帯情報端末がクレードルに装着されることによって付属コネクタ部が外部コネクタ部に連結されても、付属アンテナからチューナに出力された放送信号が記録部に記録されているときには、付属アンテナからチューナへの放送信号の出力が継続される。
【００１５】
これにより、携帯情報端末において、録画動作中にクレードルに装着された場合、アンテナの切り替えによって録画動作が中断される事態が回避され得る。
【図面の簡単な説明】
【００１６】
【図１】ポータブルテレビ端末（ＴＶ端末）が、クレードルに装着された状態を示す図である。
【図２】ＴＶ端末のハードウェア構成を説明するための図である。
【図３】ＴＶ端末の機能ブロック図である。
【図４】ＴＶ端末においてチューナ部に放送信号を出力するアンテナを付属アンテナから外部アンテナへ変更するか否かを決定するための処理のフローチャートである。
【図５】ＴＶ端末がクレードルから取り外されたときにＴＶ端末において実行される処理のフローチャートである。
【図６】図４に示された処理の変形例のフローチャートである。
【発明を実施するための形態】
【００１７】
以下、携帯情報端末の実施の形態について、図面を参照して説明する。以下の説明において、同一の機能および作用を有する部品は、各図を通して同じ符号を付し、重複する説明を繰返さない。
【００１８】
本実施の形態では、携帯情報端末の一例として、ポータブルテレビ端末（以下、ＴＶ端末）が採用される。なお、本実施の形態の携帯情報端末は、ポータブルテレビ端末以外にも、アンテナから出力される放送信号を再生する機能を有する装置であれば、携帯電話機、スマートフォン（高機能携帯電話機）、ノート型パソコン、カメラ、または、その他のすべての装置によって実現され得る。
【００１９】
＜装置外観＞
図１を参照して、ＴＶ端末１０の外観を説明する。図１は、ＴＶ端末１０が、クレードル３０に装着された状態を示す図である。本実施の形態では、クレードル３０は、ＴＶ端末１０の充電台として機能する。ＴＶ端末１０は、付属アンテナ１を備える。
【００２０】
クレードル３０は、その本体に凹部を形成されている。図１では、ＴＶ端末１０がクレードル３０の凹部に嵌め込まれた状態が示されている。クレードル３０は、外部アンテナ２と、ＡＣ（alternating-current）アダプタ４０とに接続されている。クレードル３０は、ＡＣアダプタ４０を介して商用電源から電力を供給される。このような電力供給に基づき、クレードル３０は、ＴＶ端末１０を充電する。また、ＴＶ端末１０は、クレードル３０を介して、外部アンテナ２から放送信号を受信する。
【００２１】
＜ハードウェア構成＞
図２は、ＴＶ端末１０のハードウェア構成を説明するための図である。図２には、ＴＶ端末１０に加え、クレードル３０についても、ハードウェア構成が示されている。
【００２２】
図２に示されるように、ＴＶ端末１０は、当該ＴＶ端末１０の各部を集中的に管理および制御する主制御部１０１を備える。主制御部１０１は、ＣＰＵ（Central  Processing  Unit）などのマイクロプロセッサにより構成される。
【００２３】
ＴＶ端末１０は、さらに、不揮発性メモリなどの各種メモリからなるデータ記憶部１０２と、プログラムおよび各種データを記憶するための記憶部１０３と、操作部１０５と、操作部１０５に対するユーザ操作に応じた指示信号を出力する操作処理部１０４と、ＴＶ端末１０がクレードル３０に装着されているか否かを検出するためのクレードル装着検出部１０６と、蓄えた電力を各部に供給するための充電可能なバッテリである充電池１０８と、充電池１０８を充電するための充電制御部１０７と、メディアコントローラ１３０とを備える。主制御部１０１は、メディアコントローラ１３０を介して、ＴＶ端末１０に対して着脱可能な記録媒体９００の情報を読み込み、また、記録媒体９００に情報を書き込む。主制御部１０１は、記録媒体９００に記録されたプログラムを実行する場合もあり得る。データ記憶部１０２は、番組データを録画するための記録部１０２Ａと、動作設定の内容を記憶するための記憶部１０２Ｂとを含む。記憶部１０３は、ＲＯＭ（Read  Only  Memory）とＲＡＭ（Random  Access  Memory）とを含む。
【００２４】
ＴＶ端末１０は、さらに、付属アンテナ１または外部アンテナ２を介して外部機器またはネットワークと無線通信するための信号を処理するための信号処理部１２３と、付属アンテナ１または外部アンテナ２の信号の受信についてのチューニングのためのチューナ部１２２と、信号処理部１２３に出力する信号を付属アンテナ１で受信した信号と外部アンテナ２で受信した信号との間で切り替えるための出力切替部１２１と、ＬＣＤ（Liquid  Crystal  Display）などの表示部１１２と、表示部１１２による表示動作を制御するための表示処理部１１１と、スピーカ１１４と、マイクロフォン（以下、「マイク」と略す）１１５と、スピーカ１１４による音声出力とマイク１１５による音声入力の信号を処理するための音声処理部１１３と、クレードル３０との間の各種の信号の通信に利用されるＩ／Ｆ（インターフェイス）部１１６とを備える。Ｉ／Ｆ部１１６は、電力供給を受けるための端子、放送信号を入力するための端子、および、制御信号等を入出力するための端子を含む。本実施の形態では、操作部１０５と表示部１１２は、一体的に構成されたタブレット型の入出力デバイスとして提供されるが、別体であってもよい。
【００２５】
クレードル３０は、ＴＶ端末１０と通信するためのＩ／Ｆ部３０２と、ＡＣアダプタ取付け端子３０１とを含む。ＡＣアダプタ取付け端子３０１は、ＡＣアダプタ４０と接続される。外部の商用電源５００から供給される電力は、ＡＣアダプタ４０によって電圧変換（たとえば、１００Ｖ→５Ｖ）された後、ＡＣアダプタ取付け端子３０１、および、Ｉ／Ｆ部３０２を介して、Ｉ／Ｆ部１１６へ供給される。Ｉ／Ｆ部３０２は、外部アンテナ２と接続される。外部アンテナ２が受信した信号は、Ｉ／Ｆ部３０２を介して、Ｉ／Ｆ部１１６へ供給される。
【００２６】
＜ＴＶ端末の機能構成＞
図３は、ＴＶ端末１０の機能ブロック図である。図３に示されるように、ＴＶ端末１０の主制御部１０１の機能は、動作モード判定部１５１と、設定モード判定部１５２と、出力切替制御部１５３と、受信感度検出部１５４とを含む。
【００２７】
動作モード判定部１５１は、ＴＶ端末１０の動作モードを判定する。ＴＶ端末１０の動作モードは、たとえば、付属アンテナ１および／または外部アンテナ２が受信した放送信号を再生している視聴モードと、付属アンテナ１および／または外部アンテナ２が受信した放送信号を記録部１０２Ａに記録する録画モードと、記憶部１０２Ｂにおいて記録部１０２Ａに放送信号の記録を行う予定を特定する情報（録画開始時刻、録画終了時刻、録画チャンネル、等）が登録されている状態である録画予約モードと、再生も録画も行なわれておらず記録の予定の登録もされていない状態である停止モードとを含む。動作モード判定部１５１は、表示処理部１１１や音声処理部１１３などの動作状態に基づいて、ＴＶ端末１０の動作モードを判定する。
【００２８】
設定モード判定部１５２は、記憶部１０２Ｂに登録された設定モードを判定する。ここでいう「設定モード」とは、ＴＶ端末１０がクレードル３０に装着されたときの放送信号の出力元のアンテナの選択に関して設定されているモードである。設定モードは、たとえば、出力元を付属アンテナ１に固定するアンテナ１固定モード（以下、単に「固定モード」ともいう）と、出力元のアンテナを装着時に操作部１０５に入力された情報に基づいて決定する手動モードと、装着時に自動的に出力元を外部アンテナ２へ変更する自動モードとを含む。
【００２９】
出力切替制御部１５３は、出力切替部１２１の動作を制御する。より具体的には、出力切替制御部１５３は、後述するフローチャートに示された処理に従って、チューナ部１２２に放送信号を出力するアンテナを、付属アンテナ１と外部アンテナ２との間でどのように切り替えるかを決定し、当該決定された事項に従って、出力切替部１２１の動作を制御する。
【００３０】
受信感度検出部１５４は、外部アンテナ２の受信感度を検出する。
＜装着時の処理＞
ＴＶ端末１０がクレードル３０に正常に装着されると、Ｉ／Ｆ部１１６がＩ／Ｆ部３０２に接続される。このときの接続は、物理的な接続の場合もあれば、電気的のみの接続（つまり、非接触の接続）の場合もあり得る。Ｉ／Ｆ部１１６がＩ／Ｆ部３０２に接続されると、クレードル３０からＴＶ端末１０へと商用電源５００の電源が投入されることにより、充電池１０８の充電が開始される。
【００３１】
図４は、ＴＶ端末１０においてチューナ部１２２に放送信号を出力するアンテナを付属アンテナ１から外部アンテナ２へ変更するか否かを決定するための処理のフローチャートである。図４を参照して、ＴＶ端末１０がクレードル３０に装着された際にＴＶ端末１０において実行される処理を説明する。
【００３２】
図４を参照して、主制御部１０１は、Ｉ／Ｆ部１１６がＩ／Ｆ部３０２に接続されたことを検出すると、ステップＳ１０で、ＴＶ端末１０の動作モード（図４では「ＴＶモード」）を判定する。そして、判定結果が停止モードまたは録画モードであれば、主制御部１０１は、そのまま処理を終了させる。判定結果が視聴モードまたは録画予約モードであれば、主制御部１０１は、ステップＳ２０へ制御を進める。
【００３３】
ステップＳ２０では、主制御部１０１は、設定モード（図４では「アンテナ切替モード」）を判定する。判定結果がアンテナ１固定モードであれば、主制御部１０１は、そのまま処理を終了させる。判定結果が手動モードであれば、主制御部１０１は、ステップＳ３０へ制御を進める。判定結果が自動モードであれば、主制御部１０１は、ステップＳ９０へ制御を進める。
【００３４】
ステップＳ９０では、主制御部１０１は、チューナ部１２２への放送信号の出力元のアンテナを付属アンテナ１から外部アンテナ２へ切り替えて、ステップＳ１００へ制御を進める。
【００３５】
ステップＳ１００では、主制御部１０１は、外部アンテナ２の受信感度が所与の感度以上であるか否かを判断する。そして、外部アンテナ２の受信感度が所与の感度以上であると判断すると、主制御部１０１は、そのまま処理を終了させる。一方、外部アンテナ２の受信感度が所与の感度未満であると判断すると、主制御部１０１は、ステップＳ８０へ制御を進める。
【００３６】
ステップＳ３０では、主制御部１０１は、表示部１１２にアンテナ切替選択画面を表示させて、ステップＳ４０へ制御を進める。アンテナ切替選択画面は、たとえば、放送信号の出力元のアンテナを付属アンテナ１から外部アンテナ２へ切り替えるか否かを問い合わせるメッセージを表示する。これに応じて、ユーザは、操作部１０５に、上記のように出力元のアンテナを切り替えるか否かを指示する情報を入力する。
【００３７】
ステップＳ４０では、主制御部１０１は、ユーザが入力した指示の内容を判定する。判定結果が出力元のアンテナを切り替えるものであれば、主制御部１０１は、ステップＳ５０へ制御を進める。判定結果が出力元のアンテナを切り替えないものであれば、主制御部１０１は、そのまま処理を終了させる。
【００３８】
ステップＳ５０では、主制御部１０１は、放送信号の出力元のアンテナを付属アンテナ１から外部アンテナ２へ切り替えて、ステップＳ６０へ制御を進める。
【００３９】
ステップＳ６０では、主制御部１０１は、ステップＳ１００と同様に、外部アンテナ２の受信感度が所与の感度以上であるか否かを判断する。そして、外部アンテナ２の受信感度が所与の感度以上であると判断すると、主制御部１０１は、そのまま処理を終了させる。一方、外部アンテナ２の受信感度が所与の感度未満であると判断すると、主制御部１０１は、ステップＳ７０へ制御を進める。
【００４０】
ステップＳ７０では、主制御部１０１は、表示部１１２にアンテナ切替ＮＧ画面を表示させて、ステップＳ８０へ制御を進める。アンテナ切替ＮＧ画面は、たとえば、外部アンテナ２から出力される放送信号が再生に適していないことを伝えるメッセージを表示する。アンテナ切替ＮＧ画面は、たとえば、外部アンテナ２の電波の受信状況が芳しくない場合、または、クレードル３０と外部アンテナ２の接続が適切でない場合に、表示される。
【００４１】
ステップＳ８０では、主制御部１０１は、放送信号の出力元のアンテナを外部アンテナ２から付属アンテナ１へ切り替えて、処理を終了させる。
【００４２】
以上、図４を参照して説明された処理は、携帯状態（クレードル３０に装着されない状態）で番組が視聴されているときまたは番組が録画されているときに、ＴＶ端末１０がクレードル３０と接続された場合の制御を含む。録画中であれば、放送信号の出力元のアンテナが、付属アンテナ１から外部アンテナ２（クレードルに接続した屋外アンテナまたはＣＡＴＶケーブル）に切り替えられることはない。つまり、主制御部１０１は、付属アンテナ１からチューナ部１２２への放送信号の出力を継続させる。これにより、録画中にＴＶ端末１０がクレードル３０に装着されたとき、録画が途切れることが極力回避される。
【００４３】
図４の処理では、ＴＶ端末１０がクレードル３０に装着されたときに番組の視聴中であれば、設定モードの内容によって、制御が異なる。アンテナ１固定モードであれば、出力元のアンテナは切り替えられない。手動モードであれば、出力元のアンテナが切り替えられるか否かは、その時点でユーザが指示した内容に従って決定される。自動モードであれば、自動的に出力元のアンテナが外部アンテナ２へと切り替えられる。なお、視聴中であっても、録画中と同様に、設定モードに関係なく、出力元のアンテナは、外部アンテナ２には切り替えられなくても良い。つまり、出力元のアンテンが付属アンテナ１に維持されても良い。
【００４４】
クレードル３０への装着時の動作モードが停止モードであれば、出力元のアンテナは切り替えられない。番組の視聴中と異なり、ユーザが、出力元のアンテナを切り替えるか否かの指示を入力できない状態にあるからである。また、ＴＶ端末１０がクレードル３０に装着されている間は番組が録画も視聴されず、ＴＶ端末１０がクレードル３０から取り外された後録画または視聴が再開された場合には、出力元のアンテナを外部アンテナ２へと変更する必要はない。したがって、無駄なアンテナ変更が回避される場合もあり得る。
【００４５】
クレードル３０への装着時の動作モードが録画予約モードであれば、設定モードの内容に応じて、放送信号の出力元のアンテナを外部アンテナ２へ切り替えるか否かが決定される。ユーザは、「アンテナの切替時に一時的に録画が途切れても良いから、ＴＶ端末１０がクレードル３０に装着された後には外部アンテナ２から出力された放送信号が録画されるようにしたい」と考える場合には、自動モードに設定する。これにより、ＴＶ端末１０がクレードル３０に装着されると、自動的に、出力元のアンテナが外部アンテナへと切り替えられる。一方、録画が途切れることを極力回避したい場合には、ユーザは、設定モードとしてアンテナ１固定モードを設定する。
【００４６】
なお、ステップＳ５０，Ｓ６０またはステップＳ９０，Ｓ１００における制御として示されたように、主制御部１０１は、出力元のアンテナを外部アンテナ２へと切り替えた場合、当該外部アンテナ２の受信感度が良くなければ、出力元のアンテナを付属アンテナ１に戻す。また、主制御部１０１は、放送信号の出力元のアンテナを切り替えたときに、チャンネル設定等のために、周波数サーチを行なう場合もあり得る。
【００４７】
＜取り外し時の処理＞
図５は、ＴＶ端末１０がクレードル３０から取り外されたことによって、Ｉ／Ｆ部１１６とＩ／Ｆ部３０２との接続が解消されたことが検出されたときにＴＶ端末１０において実行される処理のフローチャートである。図５を参照して、ＴＶ端末１０がクレードル３０から取り外されたときにＴＶ端末１０において実行される処理を説明する。
【００４８】
図５を参照して、Ｉ／Ｆ部１１６とＩ／Ｆ部３０２との接続が解消されたことを検出すると、主制御部１０１は、ステップＳＡ１０で、動作モード（ＴＶモード）を判定する。判定結果が停止モードまたは録画予約モードであれば、主制御部１０１は、ステップＳＡ３０へ制御を進める。判定結果が視聴モードまたは録画モードであれば、主制御部１０１は、ステップＳＡ２０へ制御を進める。
【００４９】
ステップＳＡ２０では、主制御部１０１は、その時点でチューナ部１２２への放送信号の出力元とされているアンテナが付属アンテナ１であるか外部アンテナ２であるかを判定する。そして、主制御部１０１は、判定結果が付属アンテナ１であればそのまま処理を終了させ、判定結果が外部アンテナ２であればステップＳＡ３０へ制御を進める。
【００５０】
ステップＳＡ３０では、主制御部１０１は、出力元のアンテナを付属アンテナ１へ切り替えて、処理を終了させる。
【００５１】
以上、図５を参照して説明された処理によれば、外部アンテナ２からチューナ部１２２へ放送信号が出力されているときにＴＶ端末１０がクレードル３０から取り外されると、主制御部１０１は、出力元のアンテナを付属アンテナ１へと切り替える。
【００５２】
＜装着時の処理の変形例＞
図６は、図４に示された、ＴＶ端末１０のクレードル３０への装着時の処理の変形例のフローチャートである。以下、図６に示された処理の説明として、主に図４に示された処理からの変更点を説明する。
【００５３】
図６を参照して、主制御部１０１は、Ｉ／Ｆ部１１６がＩ／Ｆ部３０２に接続されたことを検出すると、ステップＳ１１で、ＴＶ端末１０の動作モード（図６では「ＴＶモード」）を判定する。図６に示された処理では、判定結果が録画モードであれば、主制御部１０１は、そのまま処理を終了させる。判定結果が視聴モードであれば、主制御部１０１は、ステップＳ２１へ制御を進める。判定結果が停止モードまたは録画予約モードであれば、主制御部１０１は、ステップＳ１１０へ制御を進める。
【００５４】
ステップＳ１１０では、主制御部１０１は、設定モードを判定する。そして、主制御部１０１は、判定結果がアンテナ１固定モードまたは手動モードであれば、そのまま処理を終了させ、判定結果が自動モードであれば、ステップＳ９０へ制御を進める。
【００５５】
ステップＳ２１では、主制御部１０１は、設定モード（図６では「アンテナ切替モード」）を判定する。判定結果がアンテナ１固定モードであれば、主制御部１０１は、そのまま処理を終了させる。判定結果が手動モードであれば、主制御部１０１は、ステップＳ３０へ制御を進める。判定結果が自動モードであれば、主制御部１０１は、ステップＳ９０へ制御を進める。ステップＳ３０〜ステップＳ８０の制御の内容は、図４に示された処理と同様であるため、説明を繰り返さない。また、ステップＳ９０〜ステップＳ１００の制御の内容は、図４に示された処理と同様であるため、説明を繰り返さない。
【００５６】
以上、図６を参照して説明された処理では、ＴＶ端末１０がクレードル３０に装着されたときに動作モードが停止モードであって、設定モードが自動モードであれば、主制御部１０１は、放送信号の出力元のアンテナを付属アンテナ１から外部アンテナ２へ切り替える。これにより、ＴＶ端末１０がクレードル３０に装着されたままの状態で再生や録画が開始された場合に、ＴＶ端末１０は、外部アンテナ２において受信される放送信号（多くの場合、付属アンテナ１から出力される放送信号よりも高品質である）をチューナ部１２２へ提供できる。
【００５７】
今回開示された実施の形態およびその変形例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。実施の形態およびその変形例において開示された技術は、可能な限り単独でも組み合わせても実施され得ることが意図される。
【符号の説明】
【００５８】
１  付属アンテナ、２  外部アンテナ、１０  端末、３０  クレードル、４０  アダプタ、１０１  主制御部、１０２  データ記憶部、１０２Ａ  記録部、１０２Ｂ，１０３  記憶部、１０４  操作処理部、１０５  操作部、１０６  クレードル装着検出部、１０７  充電制御部、１０８  充電池、１１１  表示処理部、１１２  表示部、１１３  音声処理部、１１４  スピーカ、１１５  マイク、１１６，３０２  Ｉ／Ｆ部、１２１  出力切替部、１２２  チューナ部、１２３  信号処理部、１３０  メディアコントローラ、１５１  動作モード判定部、１５２  設定モード判定部、１５３  出力切替制御部、１５４  受信感度検出部、３０１  アダプタ取付け端子、５００  商用電源、９００  記録媒体。
【図１】
2014179744.tif 000003
【図２】
2014179744.tif 000004
【図３】
2014179744.tif 000005
【図４】
2014179744.tif 000006
【図５】
2014179744.tif 000007
【図６】
2014179744.tif 000008